(57)【要約】【課題】本発明の目的は、屋内温度の急激な上昇を抑制できる通気構造を提供することにある。【解決手段】本発明の通気構造１は、屋根６の下方に設けられた屋根下部材２と外壁５との間に設けられた通気部材３と、加熱時に屋根下部材２と通気部材３との間に生じる隙間１０を塞ぐ閉塞部材４と、を含む。【選択図】図１
2019065533.tif 000002
【特許請求の範囲】
【請求項１】
屋根の下方に設けられた屋根下部材と外壁との間に設けられた通気部材と、
加熱時に前記屋根下部材と前記通気部材との間に生じる隙間を塞ぐ閉塞部材と、
を含む、
通気構造。
【請求項２】
前記閉塞部材が、前記屋根下部材と前記通気部材との間に介在し、
前記閉塞部材が、熱によって膨張する加熱膨張性不燃材であり、
膨張した前記閉塞部材が、前記隙間を塞ぐ、
請求項１に記載の通気構造。
【請求項３】
前記閉塞部材が、前記通気部材から前記屋根下部材に沿って上方に延びる少なくとも一つの立ち上がり片を含み、
前記立ち上がり片が、前記隙間を塞ぐ、
請求項１に記載の通気構造。
【請求項４】
前記閉塞部材が、前記屋根下部材の屋外側の面に沿い、前記屋根下部材の下端部と前記通気部材の上端面との間に生じる前記隙間を塞ぐ前記立ち上がり片を含む、
請求項３に記載の通気構造。
【請求項５】
前記閉塞部材が、前記屋根下部材の屋内側の面に沿い、前記屋根下部材の屋内側の下端部と前記通気部材の上端面との間に生じる前記隙間を塞ぐ前記立ち上がり片を含む
請求項３または４に記載の通気構造。
【請求項６】
前記閉塞部材が、前記屋根下部材の下端面と前記通気部材の上端面との間に介在する底片を含み、
前記立ち上がり片が、前記底片から延出している、
請求項３から５のいずれか一項に記載の通気構造。
【発明の詳細な説明】
【技術分野】
【０００１】
本発明は、通気構造に関し、詳細には、屋根の下方に設けられた通気部材を含む通気構造に関する。
【背景技術】
【０００２】
従来、屋根の下方に設けられた屋根下部材と外壁との間に、通気部材を取り付けることが行われている。例えば特許文献１には、軒における垂木の先端に、鼻隠し用下地を介して鼻隠しが取り付けられ、鼻隠し用下地の下面に軒天換気材が取り付けられた構造が開示されている。
【先行技術文献】
【特許文献】
【０００３】
【特許文献１】特開２０１６−８４５２号公報
【発明の概要】
【発明が解決しようとする課題】
【０００４】
特許文献１に記載された構造では、屋外等で火事が発生した場合、鼻隠し用下地が炭化して収縮し、鼻隠し用下地と通気部材との間に隙間が生じることがあった。この隙間を通って屋内に熱気が入り込むと、屋内温度が急激に上昇することがあった。
【０００５】
本発明の目的は、上記の点に鑑みてなされたものであり、屋内温度の急激な上昇を抑制できる通気構造を提供することである。
【課題を解決するための手段】
【０００６】
本発明の一実施形態に係る通気構造は、屋根の下方に設けられた屋根下部材と外壁との間に設けられた通気部材と、加熱時に前記屋根下部材と前記通気部材との間に生じる隙間を塞ぐ閉塞部材と、を含む。
【発明の効果】
【０００７】
本発明の通気構造では、屋内温度の急激な上昇を抑制することができる。
【図面の簡単な説明】
【０００８】
【図１】図１は、第一実施形態に係る通気構造を示す概略の断面図である。
【図２】図２は、第一実施形態に係る通気部材を示す概略の斜視図である。
【図３】図３Ａは、第一実施形態に係る通気構造において、屋根下部材と通気部材との間に隙間が生じた状態を示す概略の断面図である。図３Ｂは、第一実施形態に係る通気構造において、屋根下部材と通気部材との間の隙間を閉塞部材が塞いた状態を示す概略の断面図である。
【図４】図４は、第二実施形態に係る通気構造を示す概略の断面図である。
【図５】図５Ａは、第二実施形態に係る通気構造において、屋根下部材と通気部材との間に隙間が生じた状態を示す概略の断面図である。図５Ｂは、第二実施形態に係る通気構造において、屋根下部材と通気部材との間の隙間を閉塞部材が塞いだ状態を示す概略の断面図である。
【図６】図６Ａは、第三実施形態に係る通気構造を示す概略の断面図である。図６Ｂは、第三実施形態に係る通気構造において、屋根下部材と通気部材との間に生じた隙間を閉塞部材が塞いだ状態を示す概略の断面図である。
【図７】図７Ａは、第三実施形態の第一変形例に係る閉塞部材を備えた通気構造を示す概略の断面図である。図７Ｂは、第三実施形態の第二変形例に係る閉塞部材を備えた通気構造を示す概略の断面図である。
【発明を実施するための形態】
【０００９】
以下、本発明を実施するための形態を説明する。
【００１０】
本実施形態の通気構造１は、通気部材３と閉塞部材４とを含む。
【００１１】
通気部材３は、屋根６の下方に設けられた屋根下部材２と外壁５との間に設けられる。
【００１２】
閉塞部材４は、加熱時に屋根下部材２と通気部材３との間に生じる隙間１０を塞ぐ。
【００１３】
本実施形態の通気構造１では、屋外等で火事が発生した場合に、熱によって屋根下部材２が収縮して、屋根下部材２と通気部材３との間に生じた隙間１０を、閉塞部材４で塞ぐことにより、この隙間１０を通って小屋裏８に熱が入り込むことを抑制できる。それにより、屋内温度が急激に上昇することを抑制することができる。
【００１４】
１．第一実施形態
以下、第一実施形態に係る通気構造１について、さらに詳しく説明する。
【００１５】
本実施形態に係る通気構造１は、建物の軒下の構造に関する。通気構造１は、図１に示すように、屋根下部材２と、通気部材３と、閉塞部材４と、外壁５と、屋根６と、小屋裏８とを備えている。なお、図中、符号６３は桁（または母屋），符号６０は垂木を示す。
【００１６】
１−１．外壁について
本実施形態の外壁５は、建物において、屋内空間と屋外空間９とを仕切る壁である。外壁５は、後述の屋根下部材２の下方に位置する。本実施形態の外壁５は、屋根下部材２の直下に位置しているが、これに限定されず、外壁５が屋根下部材２の屋内側の下方に位置していてもよい。
【００１７】
外壁５は、壁下地５０と、壁下地５０の屋外側に配置された外壁材５１と、外壁材５１と壁下地５０との間に形成された通気層５４とを備えている。
【００１８】
壁下地５０は、外壁材５１の下地となる躯体である。壁下地５０は、複数の柱５００と、柱５００の屋外側で、複数の柱５００間に亘って取り付けられた透湿防水シート５２とを含む。透湿防水シート５２の屋外側には、水平方向に一定の間隔をおいて、複数の縦胴縁５３が配置されている。
【００１９】
外壁材５１は、複数の縦胴縁５３に取り付けられている。すなわち縦胴縁５３は、外壁材５１と壁下地５０との間に設けられているともいえる。外壁材５１は、パネル状の外壁材であり、例えば、窯業系サイディング材や、金属サイディング材などにより構成される。本実施形態の外壁材５１は、横張り用の外壁材であるが、縦張り用の外壁材により構成されてもよい。なお、外壁材５１を縦張りする場合には、例えば、横胴縁により壁下地５０に取り付けられる。
【００２０】
外壁材５１と壁下地５０との間には、通気層５４が形成されている。通気層５４には、外壁５の下方から空気が流入し、流入した空気が通気層５４を上昇し、その後、通気部材３を介して、屋外空間又は小屋裏８に流出する。この通気層５４内を移動する空気により、通気層５４が換気され、外壁材５１の裏面や壁下地５０の表面（透湿防水シート５２の表面）に生じる結露が抑制される。また、外壁材５１と壁下地５０との間に通気層５４が設けられていることで、断熱効果が得られる。
【００２１】
また、外壁材５１を縦張りする場合、横胴縁により壁下地５０と外壁材５１との間に隙間が形成され、これにより通気層５４が形成される。横胴縁は、水平方向に延びているが、水平方向に隣り合う横胴縁との間に通気用の隙間が形成される。また、通気層５４は、外壁材５１を壁下地５０に取り付ける取付金具によって形成されてもよい。
【００２２】
なお、外壁５の下方から空気が流入する構造については、周知のスタータ金具を用いて実現されている。このため、説明を省略する。
【００２３】
１−２．屋根について
本実施形態の屋根６は、建物の最上部を覆うように設けられる。屋根６は、野地板６１と、野地板６１上に設けられた複数の屋根材６２と、を含む。屋根材６２は、例えば瓦である。
【００２４】
屋根６の下方には空間があり、本実施形態では小屋裏８がある。本実施形態では、建物の天井を構成する天井板８１が屋内空間内に設けられている。このため、小屋裏８は野地板６１と、天井板８１との間の空間でもある。
【００２５】
１−３．屋根下部材について
本実施形態の屋根下部材２は、屋根６の下方に設けられた部材であり、詳細には屋根６の軒側の端部の下方に設けられた部材である。屋根下部材２は、垂木６０の屋外側の先端に取り付けられた下地部材２０と、下地部材２０の屋外側の面に取り付けられた化粧部材２１と、を含む。なお、屋根下部材２の形態は、これに限定されない。例えば屋根下部材２が、単一の部材で構成されていてもよく、下地部材２０と化粧部材２１とが一体化したものであってもよく、下地部材２０及び化粧部材２１に加えて別の部材を含んでいてもよい。本実施形態の化粧部材２１は、建物の屋外側から複数の垂木６０を隠すための鼻隠しであり、下地部材２０は、鼻隠しを取り付けるための下地である鼻隠し下地である。このため、下地部材２０及び化粧部材２１は、複数の垂木６０に亘って取り付けられている。
【００２６】
また本実施形態の屋根下部材２は、外壁５の上方に位置する。詳細には下地部材２０が外壁５の直上に位置し、化粧部材２１が外壁５の屋外側の上方に位置している。屋根下地部材２の構成はこれに限定されない。例えば下地部材２０が、外壁５の屋外側の上方に位置していてもよい。
【００２７】
下地部材２０は長尺である。下地部材２０の断面形状が矩形であるが、化粧部材２１を取り付けることができれば、下地部材２０の断面形状は特に限定されない。下地部材２０の材質は特に限定されないが、強度、重量等の観点から、例えば木製である。
【００２８】
化粧部材２１は、屋根６の下方に位置する。化粧部材２１は長尺な板状の部材である。このため、化粧部材２１の断面形状は矩形である。化粧部材２１の材質は、特に限定されず、例えば木製、モルタル製、金属製又は塩化ビニル製であってもよい。
【００２９】
１−４．通気部材について
本実施形態の通気部材３は、通気見切材であり、屋根下部材２と外壁５との間に取り付けられている。本実施形態の通気部材３は、平側の外壁の上端部に取り付けられ、下地部材２０の下端部に取り付けられている。通気部材３は、小屋裏８及び通気層５４のうち少なくとも一方と、屋外空間９とを通じさせることが好ましい。また通気部材３は、小屋裏８と通気層５４とを通じさせることも好ましい。本実施形態の通気部材３は、通気層５４、小屋裏８、及び屋外空間９を通気するたの部材である。通気部材３は、水平に延びており、外壁材５１の上端の全長にわたって取り付けられる。
【００３０】
通気部材３は、図２に示すように、屋外側開口３６０、通気層側開口５４０、及び小屋裏側開口８０を有する本体部３０と、本体部３０を外壁に固定する取付部３５０とを備えている。本体部３０と取付部３５０とは板金加工により一体に成形されている。
【００３１】
本体部３０は、通気部材３の主体を構成する部分である。本体部３０の内部には、屋外側開口３６０，通気層側開口５４０、及び小屋裏側開口８０に相互に連通する通気路を有している。本体部３０は、天板部３１と、屋外側縦片部３２と、底板部３３と、一対の側面部３４、３５と、屋外側横片部３６と、屋内側横片部３７と、縦板部３８と、縦片部３９と、を備えている。
【００３２】
天板部３１は、本体部３０の上面を構成する部分であり、本実施形態の天板部３１は、小屋裏側開口８０を備えている。天板部３１は、水平面に沿って延びている。天板部３１は小屋裏側開口８０と同一平面上に位置している。
【００３３】
屋外側縦片部３２は、天板部３１の屋外側の端部から下方に延出している。屋外側縦片部３２は、鉛直面に沿って形成されている。屋外側縦片部３２の上下方向の中間部分には、屋内側に向かって延出する屋外側横片部３６が形成されている。
【００３４】
屋外側横片部３６は、天板部３１の下方に隙間を介して位置している。屋外側横片部３６の屋内側の端部には、下方に延出する側面部３４（以下、屋外側側面部３４という）が形成されている。屋外側開口３６０は、屋外側横片部３６と屋外側側面部３４とに跨って形成されており、通気部材３の長手方向に一定のピッチで複数並設されている。屋外側側面部３４の下端部には、屋内側に向かって延出する底板部３３が形成されている。
【００３５】
底板部３３は、本体部３０の底面を構成する部分であり、天板部３１の下方に対向して配置されている。底板部３３は、屋外側側面部３４に略直交しているが、詳しくは、屋外側側面部３４に向かってやや下り傾斜している。屋外側側面部３４と底板部３３とのコーナー部分には、水抜き孔３４０が形成されており、水抜き孔３４０を介して底板部３３に付着した雨水を排出できる。底板部３３の屋内側の端部には、上方に延出する側面部３５（以下、屋内側側面部３５という）が形成されている。
【００３６】
屋内側側面部３５は、通気部材３の屋内側の面の大部分を構成する部分である。屋内側側面部３５は、鉛直面に沿って延びている。屋内側側面部３５は、通気部材３が取り付けられた状態で、縦胴縁５３に当たって接する。屋内側側面部３５の上端には、屋内側に向かって延出する屋内側横片部３７が形成されている。
【００３７】
屋内側横片部３７は、天板部３１の下方に隙間を介して位置しており、水平面に沿って延びている。屋内側横片部３７には、複数の通気層側開口５４０が形成されている。通気層側開口５４０は、通気部材３の長手方向に沿って一定のピッチで複数形成されている。通気層側開口５４０は、天板部３１の屋内側の端部よりも屋内側に位置している。屋内側横片部３７の屋内側の端部には、上方に延出する縦板部３８が形成されている。
【００３８】
縦板部３８は、鉛直面に沿って形成されており、屋内側横片部３７に直交している。縦板部３８は、通気層側開口５４０に近接して配置されている。縦板部３８の上端部は、屋外側に下方へ折り返されており、いわゆるヘミング曲げがなされている。縦板部３８は、通気部材３が取り付けられると、図１に示すように、屋外側の面（以下、気流受け面３８０）が通気層５４の厚み方向の中程に位置するように構成されている。これにより、万が一、屋外側開口３６０から雨水が吹き込み、気流受け面３８０に雨水が付着しても、縦板部３８から落下する雨水が、壁下地５０及び外壁材５１の裏面に付着しにくくできる。
【００３９】
縦板部３８の上端部は、図２に示すように、天板部３１の屋内側の端部との間で小屋裏側開口８０を形成する。小屋裏側開口８０は小屋裏８に向かって開口する。小屋裏側開口８０は、主に、屋外側開口３６０との間で通気を行うが、通気層側開口５４０との間でも通気可能である。小屋裏側開口８０は、通気部材３の長手方向の全長にわたって連続して形成されている。
【００４０】
また、天板部３１において、屋内外方向の中間部分には、下方に延出する縦片部３９が形成されている。縦片部３９は、鉛直面に沿って延びて板状に形成されており、縦片部３９の下端は、底板部３３との間に隙間を介して位置している。また、縦片部３９は、屋内側側面部３５の屋外側に隙間を介して配置されており、具体的には、屋内側側面部３５に対して平行に延びている。
【００４１】
このような構成の本体部３０には、取付部３５０が設けられている。取付部３５０は、屋内側側面部３５の下端部から下方に延出している。取付部３５０は、図１に示すように、縦胴縁５３を介して壁下地５０にねじ留めされて固定される。
【００４２】
なお、取付部３５０が壁下地５０に固定された状態において、底板部３３の下方において外壁材５１が壁下地５０に取り付けられる。この後、外壁材５１と底板部３３との間にシーリングが設けられる。
【００４３】
１−５．閉塞部材について
閉塞部材４は、通気部材３と屋根下部材２との間に設けられている。本実施形態では、下地部材２０と通気部材３との間に設けられている。より詳細には、下地部材２０の下端面と、天板部３１の上面との間に閉塞部材４が設けられている。閉塞部材４は、通気部材３の上端面に取り付けられていてもよく、通気部材３の上端面に接着されていてもよく、通気部材３の上端面に固定されていてもよい。
【００４４】
本実施形態の閉塞部材４は、加熱膨張性不燃材である。加熱膨張性不燃材は、セラミックウール、ロックウール等の不燃材と、グラファイト、バーミキュライト等の熱膨張性材料とを含有する。熱膨張性材料は、熱によって膨張する性質を有する。このため、加熱膨張性不燃材が加熱されて、熱膨張性不燃材が膨張することにより、加熱膨張性不燃材の体積を増加させることができる。
【００４５】
加熱膨張性不燃材は、少なくとも２００℃において膨張を開始することが好ましい。この場合、屋外等で火事が発生した場合に、屋根下部材２と通気部材３との間に生じた隙間１０を効果的に塞ぐことができる。
【００４６】
加熱膨張性不燃材の具体例としては、積水マテリアルソリューションズ株式会社製の商品名フィブロック（登録商標）が例示される。
【００４７】
１−６．効果
本実施形態の通気構造１では、屋外等で火事が発生した場合に、化粧部材２１の破損、変形、焼失等により、下地部材２０の下端部が露出することがある。この場合、下地部材２０の下端部が加熱されやすくなる。また本実施形態の下地部材２０は木製であるため、下地部材２０の下端部が加熱されて炭化することにより、下地部材２０の下端部が収縮する。下地部材２０の下端部の収縮により、下地部材２０と通気部材３との間に隙間１０が生じる（図３Ａ参照）。
【００４８】
本実施形態の通気構造１では、下地部材２０と通気部材３との間に加熱膨張性不燃材からなる閉塞部材４が設けられている。下地部材２０の露出に伴い、閉塞部材４も加熱されて、閉塞部材４が膨張する。膨張した閉塞部材４によって、下地部材２０と通気部材３との間に生じた隙間１０を塞ぐことができる（図３Ｂ参照）。これにより、隙間１０から小屋裏８内に熱気が侵入して、屋内温度が急激に上昇することを抑制することができる。このため閉塞部材４が加熱膨張性不燃材である場合には、閉塞部材４が、少なくとも火事が発生した場合の下地部材２０の下端部付近の温度で膨張する機能を有することが好ましい。また閉塞部材４は、隙間１０を塞ぐことができる程度に膨張することが好ましい。
【００４９】
２．第二実施形態
第一実施形態に係る通気部材３は、建物の軒下において、外壁材の上端部に取り付けられるが、通気部材３は、建物のケラバ下において、外壁材の上端部に取り付けることもできる。第二実施形態に係る通気構造１は、図４に示すように、建物のケラバ下の構造に関する。
【００５０】
本実施形態の通気構造１は、第一実施形態の通気構造１と同様に、屋根下部材２と、通気部材３と、閉塞部材４と、外壁５と、屋根６と、小屋裏８とを備える。図４において符号６０は垂木、符号６３は母屋、符号６４はのぼり木である。
【００５１】
本実施形態の屋根下部材２は、屋根６のケラバ側の端部の下方に設けられた部材である。屋根下部材２は、第一実施形態と同様に、下地部材２０と化粧部材２１とを含む。本実施形態の化粧部材２１は破風板であり、下地部材２０は破風下地である。
【００５２】
下地部材２０は、屋根６の下方に位置し、垂木６０の屋外側に取り付けられている。下地部材２０は外壁５の上方に位置し、詳細には外壁５の直上に位置しているが、これに限定されず、例えば、外壁５の屋外側に位置していてもよい。下地部材２０は長尺であり、その断面形状は矩形である。下地部材２０の断面形状は、化粧部材２１を取り付けることができれば、特に限定されない。下地部材２０の材質は、例えば木製である。
【００５３】
化粧部材２１は、屋根６の下方に位置し、下地部材２０の屋外側の面に取り付けられている。化粧部材２１は、長尺な板状の部材であり、その断面形状は矩形である。化粧部材２１の材質は、例えば木製、モルタル製、金属製又は塩化ビニル製である。
【００５４】
本実施形態の通気部材３は、第一実施形態に係る通気部材３と同様の構成を備える。通気部材３は、下地部材２０と外壁５との間に設けられる。第一実施形態に係る通気部材３は、その長手方向が水平方向に沿う様に取り付けられるが、本実施形態に係る通気部材３は、屋根６の傾斜方向に沿う様に取付られる。本実施形態では、通気部材３の上に下地部材２０が配置されているため、通気部材３の小屋裏側開口８０が下地部材２０で塞がれている。このため、本実施形態の通気部材３は、小屋裏８との通気ができなくてもよい。
【００５５】
本実施形態の閉塞部材４は、第一実施形態に係る閉塞部材４と同様に、下地部材２０と通気部材３との間に設けられ、詳細には下地部材２０の下端面と通気部材３の上端面との間に設けられる。
【００５６】
第一実施形態の外壁５が平側の外壁であったのに対して、本実施形態の外壁５は妻側の外壁である。外壁５は、第一実施形態の外壁５と同様に、屋内側から屋外側に向かって、壁下地５０、縦胴縁５３、外壁材５１がこの順に配置され、壁下地５０と外壁材５１との間には通気層５４が設けられている。
【００５７】
本実施形態の屋根６、小屋裏８、及び通気部材３は、第一実施形態に係る屋根６、小屋裏８、通気部材３と同様の構成を備える。
【００５８】
本実施形態の閉塞部材４は、第一実施形態に係る閉塞部材４と同様に、下地部材２０と通気部材３との間に設けられる。本実施形態の下地部材２０は破風下地であるため、閉塞部材４は、破風下地の下端面と、通気部材３の上端面との間に設けられる。
【００５９】
本実施形態の通気構造１においても、屋外等で火事が発生した場合に、破風板である化粧部材７の破損、変形、焼失等により、破風下地である下地部材２０の下端部が露出することがある。この場合、下地部材２０の下端部が加熱されやすくなり、木製の下地部材２０の下端部が加熱されて炭化することで、下地部材２０の下端部が収縮する。下地部材２０の下端部の収縮により、下地部材２０と通気部材３との間に隙間１０が生じる（図５Ａ参照）。本実施形態では、通気部材３の小屋裏側開口８０が下地部材２０で塞がれているが、隙間１０が生じると、通気部材３と小屋裏８とが通じるようになり、隙間１０から小屋裏８に熱気が入り込むだけてなく、通気部材３を通って小屋裏８に熱気が入り込むことがある。この点、本実施形態の通気構造１では、下地部材２０と通気部材３との間に加熱膨張性不燃材からなる閉塞部材４が設けられているため、閉塞部材４が加熱されることで、閉塞部材４が膨張し、下地部材２０と通気部材３との間に生じた隙間１０を塞ぐことができる（図５Ｂ参照）。これにより、隙間１０から小屋裏８内に熱気が侵入して、屋内温度が急激に上昇することを抑制することができる。さらに閉塞部材４で小屋裏側開口８０を塞ぐことができるため、通気部材３を通って小屋裏８に熱気が入り込むことを抑制することができる。
【００６０】
３．第三実施形態
第三実施形態に係る通気構造１は、閉塞部材４の構造が異なること以外は第一実施形態に係る通気構造１と同様の構成を有する。
【００６１】
本実施形態に係る閉塞部材４は、通気部材３と同様に、外壁材５１の上端の全長に亘って取り付けられている。図６Ａに示す閉塞部材４は、平側の外壁５の上方に取り付けられているが、これに限定されず、例えば第二実施形態に係る閉塞部材４のように、妻側の外壁５の上方に取り付けられていてもよい。すなわち、第三実施形態に係る閉塞部材４は、建物の軒下に適用されてもよく、建物のケラバ下に適用されてもよい。
【００６２】
本実施形態の閉塞部材４は、立ち上がり片４１と底片４０とを含む。立ち上がり片４１は、下地部材２０の屋外側の面２０１に沿って上方に延びている。底片４０は、下地部材２０の下端面と通気部材３の天板部３１との間に介在している。このため、底片４０を下地部材２０及び通気部材３で挟むことができ、閉塞部材４を強固に固定することができる。本実施形態の立ち上がり片４１は、底片４０の屋外側の端部から上方に向かって延出している。閉塞部材４は、耐熱性を有する材料製であることが好ましく、例えば金属製である。
【００６３】
閉塞部材４は、通気部材３と下地部材２０との間に挟まれていてもよく、下地部材２０の下端面に固定されていてもよく、天板部３１に固定されていてもよい。閉塞部材４が下地部材２０の下端面に固定される場合には、釘、ビス等の固定具で固定されていていもよく、接着剤で接着されていてもよい。閉塞部材４が天板部３１に固定される場合には、釘、ビス等の固定具で固定されていてもよく、接着剤で接着されていてもよく、閉塞部材４と天板部３とが固定されていてもよい。また通気部材３の天板部３１又は屋外側縦片部３２から立ち上がり片４１が延出していてもよい。すなわち、通気部材３と閉塞部材４とが単一の部材で構成されていてもよい。
【００６４】
本実施形態の通気構造１においても、屋外等で火事が発生した場合に、化粧部材７の破損、変形、焼失等により、下地部材２０の下端部が露出することがある。この場合、下地部材２０の下端部が加熱されやすくなり、木製の下地部材２０の下端部が加熱されて炭化することで、下地部材２０の下端部が収縮する。下地部材２０の下端部の収縮により、下地部材２０と通気部材３との間に隙間１０が生じる。この点、本実施形態の通気構造１では、下地部材２０の屋外側の面２０１に沿って上方に延びた立ち上がり片４１によって、下地部材２０と通気部材３との間に生じた隙間１０を塞ぐことができる（図６Ｂ参照）。これにより、隙間１０から小屋裏８内に熱気が侵入して、屋内温度が急激に上昇することを抑制することができる。
【００６５】
４．第三実施形態の閉塞部材の変形例
閉塞部材４の構造は、図６Ａに示すものに限定されない。第一変形例に係る閉塞部材４は、図７Ａに示すように、下地部材２０の屋内側の面２０２に沿って上方に延びた立ち上がり片４１を備える。この場合も、下地部材２０と通気部材３との間に生じる隙間１０を、立ち上がり片４１によって塞ぐことができる。立ち上がり片４１は底片４０から延出しているが、これに限定されない。例えば、通気部材３の天板部３１又は縦板部３８から立ち上がり片４１が延出していてもよい。
【００６６】
第二変形例に係る閉塞部材４は、図７Ｂに示すように、下地部材２０の屋外側の面２０１に沿って上方に延びた第一立ち上がり片４１１と、下地部材２０の屋内側の面２０２に沿って上方に延びた第二立ち上がり片４１２と、を備える。この場合も、下地部材２０と通気部材３との間に生じる隙間１０を、第一立ち上がり片４１１及び第二立ち上がり片４１２によって塞ぐことができる。第一立ち上がり片４１１及び第二立ち上がり片４１２は、底片４０から延出しているがこれに限定されない。通気部材３の天板部３１又は屋外側縦片部３２から第一立ち上がり片４１１が延出すると共に、天板部３１又は縦板部３８から第二立ち上がり片４１２が延出していてもよい。
【００６７】
図７Ａ及び図７Ｂに示す閉塞部材４は、平側の外壁５の上方に取り付けられているが、図４に示す閉塞部材４のように、妻側の外壁５の上方に取り付けられていてもよい。すなわち、第一変形例及び第二変形例の閉塞部材４は、建物の軒下に適用されてもよく、建物のケラバ下に適用されてもよい。
【００６８】
また第三実施形態に係る閉塞部材４は、図６Ａ、図７Ａ及び図７Ｂに示すように、底片４０の屋内外方向の幅が、通気部材３の天板部３１の屋内外方向の幅と略同じとなっているが、これに限定されない。例えば、下地部材２０の下端部の屋内外方向の幅が、天板部３１の屋内外方向の幅よりも大きい場合には、底片４０の屋内外方向の幅が、天板部３１の屋内外方向の幅よりも、大きくてもよい。すなわち底片４０の屋内外方向の幅は、下地部材２０の下端部の屋内外方向の幅に影響され得る。
【００６９】
５．本発明に係る態様
以上に述べた実施形態から明らかなように、本発明の第一の態様に係る通気構造１は、屋根の下方に設けられた屋根下部材２と外壁５との間に設けられた通気部材３と、加熱時に屋根下部材２と通気部材３との間に生じる隙間１０を塞ぐ閉塞部材４と、を含む。
【００７０】
この構成によれば、屋外等で火事が発生した場合に、熱によって屋根下部材２が収縮して、屋根下部材２と通気部材３との間に生じた隙間１０を、閉塞部材４で塞ぐことができる。これにより、隙間１０を通って屋内空間に熱が入り込むことを抑制することができ、屋内温度の急激な上昇を抑制することができる。
【００７１】
また第一の態様に係る通気構造１では、屋根下部材２が、屋根６の下方に設けられた下地部材２０と下地部材２０の屋外側に取り付けられた化粧部材７とを含み、通気部材３が、屋根下部材２と屋根下部材２の下方に位置する外壁５との間に設けられ、且つ小屋裏８及び外壁５と壁下地５０との間に設けられた通気層５４のうち少なくとも一方と、屋外空間９とを通じさることも好ましい。
【００７２】
第二の態様に係る通気構造１は、第一の態様において、閉塞部材４が、屋根下部材２と通気部材３との間に介在し、閉塞部材４が、熱によって膨張する加熱膨張性不燃材であり、膨張した閉塞部材４が、隙間１０を塞ぐ。
【００７３】
この構成によれば、膨張した閉塞部材４で隙間１０を塞ぐことにより、隙間１０を通って屋内空間に熱が入り込むことを抑制することができる。
【００７４】
第三の態様に係る通気構造１は、第一の態様において、閉塞部材４が、通気部材３から屋根下部材２に沿って上方に延びる少なくとも一つの立ち上がり片４１を含み、立ち上がり片４１が、隙間１０を塞ぐ。
【００７５】
この構成によれば、屋根下部材２に沿って設けられた立ち上がり片４１で隙間１０を塞ぐことにより、隙間１０を通って屋内空間に熱が入り込むことを抑制することができる。
【００７６】
第四の態様に係る通気構造１は、第三の態様において閉塞部材４が、屋根下部材２の屋外側の面に沿い、屋根下部材２の下端部と通気部材３の上端面との間に生じる隙間１０を塞ぐ立ち上がり片４１を含む。
【００７７】
この構成によれば、屋根下部材２の屋外側の面に沿って設けられた立ち上がり片４１で隙間１０を塞ぐことにより、隙間１０を通って屋内空間に熱が入り込むことを抑制することができる。
【００７８】
第五の態様に係る通気構造１は、第三または第四の態様において、閉塞部材４が、屋根下部材２の屋内側の面に沿い、屋根下部材２の屋内側の下端部と通気部材３の上端面との間に生じる隙間１０を塞ぐ前記立ち上がり片を含む。
【００７９】
この構成によれば、屋根下部材２の屋内側の面に沿って設けられた立ち上がり片４１で隙間１０を塞ぐことにより、隙間１０を通って屋内空間に熱が入り込むことを抑制することができる。
【００８０】
第六の態様に係る通気構造１は、第三から第五のいずれか一の態様において、閉塞部材４が、屋根下部材２の下端面と通気部材３の上端面との間に介在する底片４０を含み、立ち上がり片４１が、底片４０から延出している。
【００８１】
この構成によれば、立ち上がり片４１で隙間１０を塞ぐことにより、隙間１０を通って屋内空間に熱が入り込むことを抑制することができる。また底片４０が屋根下部材２及び通気部材３で挟まれることで、閉塞部材４を固定しやすい。
【符号の説明】
【００８２】
１    通気構造
２    屋根下部材
３    通気部材
４    閉塞部材
５    外壁
６    屋根
９    屋外空間
４０  底片
４１  立ち上がり片
【図１】
2019065533.tif 000003
【図２】
2019065533.tif 000004
【図３】
2019065533.tif 000005
【図４】
2019065533.tif 000006
【図５】
2019065533.tif 000007
【図６】
2019065533.tif 000008
【図７】
2019065533.tif 000009